(57)【要約】【課題】簡単な構成によって室内の空調を良好なものにする。【解決手段】養鶏室２の梁間方向の側壁に第１及び第２吸気口４ａ，４ｂを有する吸気部３を設けてあり、養鶏室２の天井１３上側には吸気部３に連通している天井通気部５を設けてあり、天井１３には複数の通気口６及び各通気口の通気を調整可能である通気調整ダンパ７を設けてあり、養鶏室２の桁行方向の側壁に排気口及び排気ファンを設けてあり、第１吸気口４ａ又は第２吸気口４ｂからの給気は吸気部３を経て天井通気部５及び通気口６から養鶏室内に流下されて養鶏室の排気口から排気ファンの作動によって強制排気され、養鶏室の空調が図られる。【選択図】　　　　　図１
2004033007.tif 000002
【特許請求の範囲】
【請求項１】
養畜室と、
この養畜室の側部に設けてある吸気口を有する吸気部と、
上記養畜室の天井上側に設け、上記吸気部に連通している天井通気部と、
上記天井に設けてある複数の通気口及び各通気口の通気を調整可能である通気調整手段と、
上記養畜室の側部に設けてある排気口及び強制排気手段と
を具備しており、上記吸気部が配置されている吸気側と、上記排出口が配置されている排気側とは互いに交差方向であり、上記各通気口は上記養畜室と連通していることを特徴とする養畜建物。
【請求項２】
養畜室は、排気方向と交差する方向に複数室が連続して配置されていることを特徴とする請求項１記載の養畜建物。
【請求項３】
隣接する通気口の配置間隔は、排気口側が大きく、その反対側が小さく設定されていることを特徴とする請求項１又は請求項２記載の養畜建物。
【請求項４】
吸気口及び吸気部は梁間方向側の側部に、排気口は桁行方向側の側部に配置されていることを特徴とする請求項１、請求項２又は請求項３記載の養畜建物。
【請求項５】
吸気口は、吸気部の外面に形成してある第１吸気口と、上記吸気部の下端部に設けてある第２吸気口とからなることを特徴とする請求項１、請求項２、請求項３又は請求項４記載の養畜建物。
【請求項６】
養畜室は養鶏室であることを特徴とする請求項１、請求項２、請求項３、請求項４又は請求項５記載の養畜建物。
【請求項７】
養畜室と、
この養畜室の梁間方向側の側部に設けてある吸気口を有する吸気部と、
上記養畜室の天井上側に設け、上記吸気部に連通している天井通気部と、
上記天井に設けてある複数の通気口及び各通気口の通気を調整可能である通気調整ダンパと、
上記養畜室の桁行方向側の側部に設けてある排気口及び排気ファンと
を具備しており、上記養畜室は養鶏室であり、隣接する通気口の配置間隔は、排気口側が大きく、その反対側が小さく設定されていることを特徴とする養畜建物。
【請求項８】
養畜室は梁間方向に少なくとも２室隣接して配置していることを特徴とする請求項７記載の養畜建物。
【発明の詳細な説明】
【０００１】
【発明の属する技術分野】
本発明は、養鶏などに用いられる養畜建物に関するものである。
【０００２】
【従来の技術】
例えば養鶏建物では、養鶏室内の換気を図るために、梁間方向の側壁に吸気口を設け、外気をこの吸気口から養鶏室内へ供給し、上記側壁と直交する方向である桁行方向の側壁に設けてある排気ファンを備えた排気口から排気することにより、養鶏室内の空調を行っている例が知られている。
【０００３】
【発明が解決しようとする課題】
従来例の養鶏建物によれば、養鶏室が奥行きのある（桁行方向のスパーンが大きい）ものにあっては、排気口とは対向側室内の奥側部分の空調が良くなく、また高さのあるものでは室内の天井側部分と床側部分との温度差が生じ、特に、夏期のような良好な空調が要求される時期には、良い空調が得られないと、鶏卵の産卵率の低下や養鶏の健康に悪影響を及ぼす可能性がある。このために、室内全体の空調が良い建物の実現が期待されていた。
本発明の目的は、簡単な構成によって室内の空調を良好なものにすることにある。
【０００４】
【課題を解決するための手段】
本発明は、養畜室と、この養畜室の側部に設けてある吸気口を有する吸気部と、上記養畜室の天井上側に設け、上記吸気部に連通している天井通気部と、上記天井に設けてある複数の通気口及び各通気口の通気を調整可能である通気調整手段と、上記養畜室の側部に設けてある排気口及び強制排気手段とを具備しているものである。上記吸気部が配置されている吸気側と、上記排出口が配置されている排気側とは互いに交差方向であり、上記各通気口は上記養畜室と連通している。
吸気部の吸気口から入った給気は、上昇して天井通気部に至り、通気口から上記養畜室内へ流下して養畜室の換気をし、排気口から養畜室外へ強制排気される。
【０００５】
【発明の実施の形態】
本発明について、養畜建物として養鶏用に適用した例について図面を参照して説明する。
図１〜図５に示すように、養鶏建物１は、養鶏室２と、この養鶏室の梁間方向（図１左右方向）の側部に設けている第１及び第２吸気口４ａ，４ｂを有する吸気部３と、上記養鶏室の天井側に設けてある天井通気部５と、天井に設けてある複数の通気口６及び通気調整手段７と、上記養鶏室の桁行方向の側部に設けている排気口８及び強制排気手段９とを備えている。
養鶏建物１内は、中央の仕切り壁１０を挟んで図１左右方向に２分割されており、分割されたそれぞれ空間は間仕切り１１によって複数の養鶏室２（２ａ，２ｂ，２ｃ，２ｄ）に仕切られている。すなちわ、養鶏室２は、図１及び図４に示す例によれば、奥行きのある（桁行方向が長い）４室すなわち、仕切り壁１０の図左側の２室２ａ，２ｂと、右側の２室２ｃ，２ｄとからなる。各養鶏室２ａ，２ｂ，２ｃ，２ｄ内には多段の養鶏棚（図示せず。）が配置される。
吸気部３は、養鶏建物１のそれぞれ外側に位置している養鶏室２ａ及び養鶏室２ｄの側部に設けてある。吸気部３は、養鶏室２ａ，２ｄに隣接して梁間方向（図４左右方向）にほぼ全長に亘って配置されている吸気室である。吸気部３はその下側外面に第１吸気口４ａを設けてあり、第１吸気口から外気を吸気部内へ取り入れ可能である。第１吸気口４ａには外気を冷却するための冷却水循環装置（ＦＡＣＣＯ社　商品名「クーリングパッド」など）を配置してあり、外気は冷却水循環装置の隙間を通過可能である。第１吸気口４ａは、特に夏期のような季節に使用される。また図２に示すように、吸気部３はその下端部に第２吸気口４ｂを設けてある。第２吸気口４ｂは開閉板１２によって開閉可能である。通常、第２吸気口４ｂは夏期以外の季節に使用される。
天井通気部５は養鶏室２ａ，２ｂ，２ｃ，２ｄの天井１３上側に設けられており、吸気部３と、そして通気口６を介してすべての養鶏室に連通している。
各通気口６は、天井１３に桁行方向（図４左右方向）に間隔を置いて設けられている。通気口６の配置間隔は、図３及び図４に示すように養鶏室２ａ，２ｂ，２ｃ，２ｄのほぼ中央から排気口８側（図右側）とその反対側とでは異なっており、排気口側を広い間隔ｄ１とし、その反対側（奥側）を狭い間隔ｄ２としている。換言すれば、通気口６の配置間隔は各養鶏室２ａ，２ｂ，２ｃ，２ｄ内の奥側が密であり、排気側が粗である。養鶏室２ａ，２ｂ，２ｃ，２ｄ内において、通気口６の配置間隔に差異を設けることによって、排気側に比較して換気機能が劣る奥側に多数の通気口６を配置することにより、換気機能を高め、養鶏室内の均一な空調を可能にするものである。通気調整手段である通気調整ダンパ７は、その開閉動作を通じて各通気口６の通気を調整可能である。
排気口８は、養鶏室２ａ，２ｂ，２ｃ，２ｄの側部に設けられており、吸気部３側（吸気側）とは交差する方向の側部に配置されている。排気口８には排気を養鶏室２ａ，２ｂ，２ｃ，２ｄ外へ強制排気するための強制排気手段である排気ファン９を設けてある（図６参照）。
図１及び図７において、符号１４は上部排気口を、符号１５は下部吸気口をそれぞれ示し、上部排気口及び下部吸気口は主に停電など緊急時に開放されて自然排気及び自然吸気が行われる。
【０００６】
養鶏建物１の空調について説明する。
夏期においては、図１に示す状態から外気を第１吸気口４ａから取り入れると、外気は第１吸気口を通過することにより冷却される。冷却された外気は吸気部３内を上昇して天井通気部５に至り、そして各通気口６を通過して養鶏室２ａ，２ｂ，２ｃ，２ｄ内にそれぞれ流入し、やがて排気口８から排気ファン９の駆動により室外へ強制排気される。
養鶏室２ａ，２ｂ，２ｃ，２ｄ内では換気の劣る奥側には通気口６が密に設けられているので、多量の外気が流入されて、奥側の温度を排気側のそれと同様に調整され、排気口８側の室内と温度差を少なくすることができ、室内全体の良好な空調が得られる。また天井１３側から外気が養鶏室２ａ，２ｂ，２ｃ，２ｄ内に流下するので、各養鶏室内の上下に温度差が生じることがなく、天井に近い養鶏棚の上部側も十分良好な空調が確保される。通気口６からの養鶏室２ａ，２ｂ，２ｃ，２ｄ内への空気の供給量は、養鶏室２ａ，２ｂ，２ｃ，２ｄ内の温度状態を監視しながら、通気調整ダンパ７の開閉量を調整する。
したがって、上記構成により、養鶏室２ａ，２ｂ，２ｃ，２ｄ内全体の温度を均一に保つことができる。
夏期以外の季節においては、開閉板１２によって第２吸気口４ｂを開放した図２に示す状態から外気を取り入れる。その他の換気方法は上述した夏期における方法と同じである。
また停電のような緊急時には、図７に示すように、下部吸気口１５を開放すると共に、上部排気口１４を開放し、外気を下部吸気口から自然吸気作用により養鶏室２ａ，２ｂ，２ｃ，２ｄ内へ取り入れ、各養鶏室から天井１３の通気口６から天井通気部５を経て上部排気口１４へ排出される。
【０００７】
養鶏建物１の他の使用方法について説明する。
例えば養鶏室２ａのみを使用する場合には、他の各養鶏室２ｂ，２ｃ，２ｄに対応しているすべての通気口６を通気調整ダンパ７によって閉じてから、外気を吸気部３の第１吸気口４ａ又は第２吸気口４ｂを経て天井通気部５の通気口６から養鶏室２ａ内に取り入れて室内空調を行う。
また養鶏室２ａ，２ｂ，２ｃの３室を使用する場合には、養鶏室２ｄに対応している通気口６を通気調整ダンパ７によって閉じてから、外気を吸気部３を経て天井通気部５の通気口６から取り入れて養鶏室２ａ，２ｂ，２ｃの空調を行う。さらに養鶏室２ａ，２ｂ又は養鶏室２ｃ，２ｄの２室を使用する場合には、養鶏室２ａ，２ｂ又は養鶏室２ｃ，２ｄにそれぞれ対応している通気口６を通気調整ダンパ７によって閉じてから、外気を吸気部３を経て天井通気部５の通気口６から取り入れて養鶏室２ａ，２ｂ又は養鶏室２ｃ，２ｄの空調を行う。
このように、給気を養鶏室２内に直線的（面的）に供給するのではなく、一旦上昇させて天井通気部５から養鶏室２内に流下供給し、通気口６を通気調整ダンパ７によって開閉することにより、使用する養鶏室２の拡張又は縮小を任意にすることができる。このために、鶏卵の需要に対応した養鶏が可能となり、同一施設での生産計画やその変更に柔軟に対処することができる。
【０００８】
図１の例では、養鶏室２が仕切り壁１０を挟んで両側に２室ずつ、合計で４室設けられているが、両側それぞれ１室のみ又は３室以上であっても良く、また片側１室のみでも良く、さらに仕切り壁１０を設けることなく単一又は複数室を設けるものであっても良い。
養畜室は養鶏室に限られないが、養鶏室にあっては養鶏の数が多い場合には養鶏から出る熱の換気が円滑に行える。
【０００９】
【発明の効果】
本発明によれば、簡単な構成によって室内の空調を良好なものに保つことができ、必要に応じて養畜室の拡張縮小が可能となる。
【図面の簡単な説明】
【図１】本発明の養畜建物を示す断面図であって、夏季に使用している状態を示す図である。
【図２】本発明の養畜建物を示す断面図であって、夏季以外の季節に使用している状態を示す図である。
【図３】図１のＩＩＩ−ＩＩＩ線断面図であって、縮小して示す図である。
【図４】図１のＩＶ−ＩＶ線断面図であって、縮小して示す図である。
【図５】図１を縮小して示す側面図である。
【図６】図３を拡大して示す側面図である。
【図７】本発明の養畜建物を示す断面図であって、緊急時に使用している状態を示す図である。
【符号の説明】
１　　　　　　　　　　　　　　　養鶏建物（養畜建物）
２，２ａ，２ｂ，２ｃ，２ｄ　　　養鶏室（養畜室）
３　　　　　　　　　　　　　　　吸気部
４ａ　　　　　　　　　　　　　　第１吸気口
４ｂ　　　　　　　　　　　　　　第２吸気口
５　　　　　　　　　　　　　　　天井通気部
６　　　　　　　　　　　　　　　通気口
７　　　　　　　　　　　　　　　通気調整ダンパ（通気調整手段）
８　　　　　　　　　　　　　　　排気口
９　　　　　　　　　　　　　　　排気ファン（強制排気手段）
１３　　　　　　　　　　　　　　天井
ｄ１，ｄ２　　　　　　　　　　　通気口の配置間隔
【図１】
2004033007.tif 000003
【図２】
2004033007.tif 000004
【図３】
2004033007.tif 000005
【図４】
2004033007.tif 000006
【図５】
2004033007.tif 000007
【図６】
2004033007.tif 000008
【図７】
2004033007.tif 000009